(57)【要約】【課題】予め外装材が取り付けられた壁パネルに、現場で屋根パネルを連結できる屋根パネル連結金物および屋根パネルの連結方法を提供する。【解決手段】屋根パネル連結金物１を、壁パネル５の表面上端部に予め固定される受金物２と、屋根パネル６に現場で取り付けられるともに、受金物２に連結される屋根金物３とで構成する。そして、受金物２が取り付けられている壁パネル５上に屋根パネル６を設置した後、屋根パネル６に現場で屋根金物３を取り付けるとともに、この屋根金物３受金物２に連結する。【選択図】図３
2006348688.tif 000002
【特許請求の範囲】
【請求項１】
予め外装材が取り付けられた壁パネルに、屋根パネルを連結するための屋根パネル連結金物であって、
前記外装材の内側に位置する壁パネルの表面上端部に予め固定される受金物と、
前記屋根パネルに現場で取り付けられるともに、前記受金物に連結される屋根金物とを備えていることを特徴とする屋根パネル連結金物。
【請求項２】
請求項１に記載の屋根パネル連結金物において、
前記受金物は、前記壁パネルの表面に固定される壁固定部と、この壁固定部に設けられたフック部とを備え、
前記屋根金物は、前記屋根パネルの枠材に固定される屋根固定部と、この屋根固定部に形成されて前記フック部が引掛けられる引掛け部とを備えていることを特徴とする屋根パネル連結金物。
【請求項３】
請求項１に記載の屋根パネル連結金物において、
前記受金物は、前記壁パネルの表面に固定される壁固定部と、この壁固定部に、軸方向を壁パネルの幅方向に向けて設けられた筒部とを備え、
前記屋根金物は、前記屋根パネルの枠材に、この枠材を上方から跨ぐにようにして取り付けられる略Ｕ字状の屋根金物本体と、この屋根金物本体の２つの脚部の下端部にそれぞれ形成され、前記筒部に挿通される軸の両端部が挿通される孔とを備えていることを特徴とする屋根パネル連結金物。
【請求項４】
請求項１に記載の屋根パネル連結金物を使用して、予め外装材が取り付けられた壁パネルに、屋根パネルを連結する方法であって、
予め受金物が固定された前記壁パネルを設置した後、この壁パネル上に屋根パネルを設置し、
次に、前記屋根パネルに現場で屋根金物を取り付けるとともに、この屋根金物を前記受金物に連結することを特徴とする屋根パネルの連結方法。
【請求項５】
請求項２に記載の屋根パネル連結金物を使用して、予め外装材が取り付けられた壁パネルに、屋根パネルを連結する方法であって、
予め前記受金物の壁固定部が固定された壁パネルを設置した後、この壁パネル上に屋根パネルを設置し、
次に、前記屋根パネルの枠材に現場で前記屋根金物の屋根固定部を固定するとともに、前記フック部を前記引掛け部に引掛けることによって、前記屋根金物を前記受金物に連結することを特徴とする屋根パネルの連結方法。
【請求項６】
請求項３に記載の屋根パネル連結金物を使用して、予め外装材が取り付けられた壁パネルに、屋根パネルを連結する方法であって、
予め前記受金物の壁固定部が固定された壁パネルを設置した後、この壁パネル上に屋根パネルを設置し、
次に、前記屋根パネルの枠材に、現場で前記屋根金物本体を前記枠材を上方から跨ぐにようにして取り付けるとともに、この屋根金物本体の２つの脚部で前記筒部を、脚部の孔と筒部とがほぼ一致するようにして挟み込み、軸を一方の孔から筒部を通して他方の孔に挿通することによって、前記屋根金物を前記受金物に連結することを特徴とする屋根パネルの連結方法。
【発明の詳細な説明】
【技術分野】
【０００１】
本発明は、予め外装材が取り付けられた壁パネルに、屋根パネルを連結するための屋根パネル連結金物および屋根パネルの連結方法に関する。
【背景技術】
【０００２】
プレハブ住宅を施工する方法の一つとして、住宅の床、壁、屋根等をパネルを用いて施工するパネル工法が知られている。このパネル工法は、予め工場等において木製の枠材を枠組することにより枠体を形成し、該枠体の少なくとも一面に合板等の面材を貼設することにより床パネル、壁パネル、屋根パネル等を製造し、建築現場にてこれらのパネルを組み付けていくことにより建物を構築する方法である。
【０００３】
前記パネル工法により屋根パネルを施工する場合、壁パネル、床パネル等を組み付けて構築された躯体上の屋根となる部位に、屋根パネルを順序よく敷き込み、躯体に連結している。屋根パネルを躯体に連結する場合、該屋根パネルを軒先においてフック金物と称される屋根パネル連結金物で連結して、風の煽りに抗するように補強している。
図１０および図１１はフック金物２０によって屋根パネル６を壁パネルに連結した状態を示すものである。フック金物２０は、屋根パネル６の面材６ｂから打ち込まれて、該屋根パネル６の縦枠材６ａを跨ぐように、かつ先端部２１，２１が、壁パネル５側に突出するように配設され、さらに、突出した先端部２１，２１が壁パネル５に当接される。
前記壁パネル５は、枠材５ａを矩形状に組んでなる枠体の両面に面材５ｂ，５ｂを貼設して形成したものであり、当該壁パネル５の上端面には、屋根パネル６の軒先側に位置する縦枠材６ａを支持する結合桁８が固定されている。なお、屋根パネル６の棟側の位置する縦枠材６ａは、図示しない棟梁によって支持されている。
そして、前記棟梁および結合桁８によって支持されて敷き込まれた屋根パネル６は、前記フック金物２０の先端部２１，２１を、壁パネル５の縦枠材５ａに対向するようにして面材５ｂに当接されたうえで、先端部に形成された貫通孔にスクリュー釘７，７を挿通し、面材５ｂを貫通して縦枠材５ａに打ち込むことにより、壁パネル５に固定される。
【特許文献１】特開平８−２７７６１０号公報
【発明の開示】
【発明が解決しようとする課題】
【０００４】
ところで、上記のようなパネル工法において、予め工場等において壁パネルに外装材を取り付けておき、この外装材付きの壁パネルを現場で、組み立てることによって現場での外装材の取り付けを省略する施工方法も行われている。
しかし、このような施工方法では、前記フック金物（屋根パネル連結金物）を壁パネルに固定できないという問題がある。
すなわち、前記フック金物は、壁パネルに屋根パネルを設置した後、屋根パネルの上方から打ち込まれて、その先端部（下端部）が壁パネルに釘打ちによって固定されるので、壁パネルに予め外装材を取り付けておくと、外装材が邪魔になって、フック金物の先端部を壁パネルに固定できない。このため、壁パネルに予め外装材を取り付ける際に、壁パネルの上部に外装材を取り付けていない領域を残せば、この領域にフック金物の先端部を固定することができるが、この場合、この領域に現場で外装材を取り付ける手間が生じてしまう。
【０００５】
本発明は上記事情に鑑みてなされたものであり、予め外装材が取り付けられた壁パネルに、現場で屋根パネルを連結できる屋根パネル連結金物および屋根パネルの連結方法を提供することを課題としている。
【課題を解決するための手段】
【０００６】
上記課題を解決するために、請求項１に記載の発明は、例えば図１〜図４、図６〜図８に示すように、予め外装材４が取り付けられた壁パネル５に、屋根パネル６を連結するための屋根パネル連結金物１（１１）であって、
前記外装材４の内側に位置する壁パネル５の表面上端部に予め固定される受金物２（１２）と、
前記屋根パネル６に現場で取り付けられるともに、前記受金物２（１２）に連結される屋根金物３（１３）とを備えていることを特徴とする。
【０００７】
また、請求項４に記載の発明は、請求項１に記載の屋根パネル連結金物１（１１）を使用して、予め外装材４が取り付けられた壁パネ５ルに、屋根パネル６を連結する方法であって、
予め受金物２（１２）が固定された前記壁パネル５を設置した後、この壁パネル５上に屋根パネル６を設置し、
次に、前記屋根パネル６に現場で屋根金物３（１３）を取り付けるとともに、この屋根金物３（１３）を前記受金物２（１２）に連結することを特徴とする。
【０００８】
請求項１および４に記載の発明によれば、予め取り付けられた外装材４の内側に位置する壁パネル５の表面上端部に受金物２（１２）が固定されているので、この受金物２（１２）が固定された壁パネル５上に設置された屋根パネル６に現場で屋根金物３（１３）を取り付けるとともに、この屋根金物３（１３）を受金物（１２）に連結することによって、予め外装材４が取り付けられた壁パネル５に、現場で屋根パネル６を連結できる。
【０００９】
請求項２に記載の発明は、例えば図１〜図４に示すように、請求項１に記載の屋根パネル連結金物１において、
前記受金物２は、前記壁パネル５の表面に固定される壁固定部２ａと、この壁固定部２ａに設けられたフック部２ｂとを備え、
前記屋根金物３は、前記屋根パネル６の枠材６ａに固定される屋根固定部３ａと、この屋根固定部３ａに形成されて前記フック部２ｂが引掛けられる引掛け部３ｂとを備えていることを特徴とする。
【００１０】
また、請求項５に記載の発明は、請求項２に記載の屋根パネル連結金物１を使用して、予め外装材４が取り付けられた壁パネル５に、屋根パネル６を連結する方法であって、
予め前記受金物２の壁固定部２ａが固定された壁パネル５を設置した後、この壁パネル５上に屋根パネル６を設置し、
次に、前記屋根パネル６の枠材６ａに現場で前記屋根金物３の屋根固定部３ａを固定するとともに、前記フック部２ｂを前記引掛け部３ｂに引掛けることによって、前記屋根金物３を前記受金物２に連結することを特徴とする。
【００１１】
請求項２および５に記載の発明によれば、受金物２の壁固定部２ａが固定された壁パネル３上に設置された屋根パネル６に現場で屋根金物３を取り付ける際に、該屋根金物３の屋根固定部３ａを屋根パネル６の枠材６ａに固定することによって、屋根金物３を屋根パネル６に強固に固定でき、さらに、屋根金物３の引掛け部３ｂに受金物２のフック部２ｂを引掛けることによって、屋根金物３を受金物２に容易かつ確実に連結できる。したがって、予め外装材４が取り付けられた壁パネル５に、現場で屋根パネル６を容易かつ確実に連結できる。
【００１２】
請求項３に記載の発明は、例えば図６〜図８に示すように、請求項１に記載の屋根パネル連結金物１１において、
前記受金物１２は、前記壁パネル５の表面に固定される壁固定部１２ａと、この壁固定部１２ａに、軸方向を壁パネル５の幅方向に向けて設けられた筒部１２ｂとを備え、
前記屋根金物１３は、前記屋根パネル６の枠材６ａに、この枠材６ａを上方から跨ぐにようにして取り付けられる略Ｕ字状の屋根金物本体１３ａと、この屋根金物本体１３ａの２つの脚部１３ｃ，１３ｃの下端部にそれぞれ形成され、前記筒部１２ｂに挿通される軸１５の両端部が挿通される孔１３ｂ，１３ｂとを備えていることを特徴とする。
【００１３】
また、請求項６に記載の発明は、請求項３に記載の屋根パネル連結金物１１を使用して、予め外装材４が取り付けられた壁パネル５に、屋根パネル６を連結する方法であって、
予め前記受金物１２の壁固定部１２ａが固定された壁パネル５を設置した後、この壁パネル５上に屋根パネル６を設置し、
次に、前記屋根パネル６の枠材６ａに、現場で前記屋根金物本体１３ａを前記枠材６ａを上方から跨ぐにようにして取り付けるとともに、この屋根金物本体１３ａの２つの脚部１３ｃ，１３ｃで前記筒部１２ｂを、脚部１３ｃ，１３ｃの孔１３ｂ，１３ｂと筒部１２ｂとがほぼ一致するようにして挟み込み、軸１５を一方の孔１３ｂから筒部１２ｂを通して他方の孔１３ｂに挿通することによって、前記屋根金物１３を前記受金物１２に連結することを特徴とする。
【００１４】
請求項３および６に記載の発明によれば、受金物１２の壁固定部１２ａが固定された壁パネル５上に設置された屋根パネル６に現場で屋根金物１３を取り付ける際に、屋根金物本体１３ａを屋根パネル６の枠材６ａを上方から跨ぐにようにして取り付けることによって、屋根金物１３を屋根パネル６に上方から容易に取り付けることができ、さらに、屋根金物本体１３ａの２つの脚部１３ｃ，１３ｃで受金物１２の筒部１２ｂを、脚部１３ｃ，１３ｃの孔１３ｂ，１３ｂと筒部１２ｂとがほぼ一致するようにして挟み込み、軸１５を一方の孔１３ｂから筒部１２ｂを通して他方の孔１３ｂに挿通することによって、屋根金物１３を受金物１２に容易かつ確実に連結できる。したがって、予め外装材４が取り付けられた壁パネル５に、現場で屋根パネル６を容易かつ確実に連結できる。
なお、前記軸１５としては、例えばボルト１５を使用するのが望ましい。そして、このボルト１５を屋根金物本体１３ａの一方の孔１３ｂから受金物１２の筒部１２ｂを通して他方の孔１３ｂに挿通したら、このボルト１５の先端部にナット１６を螺合して締め付けることによって、受金物１２と屋根金物１３との分離を防止することができる。
また、前記軸はボルト以外でもよいが、その両端部を受金物の筒部の両端部に固定するのが望ましい。
【発明の効果】
【００１５】
本発明によれば、屋根連結金物が外装材の内側に位置する壁パネルの表面上端部に予め固定される受金物と、屋根パネルに現場で取り付けられるともに、前記受金物に連結される屋根金物とを備えているので、受金物が固定された前記壁パネルを設置した後、この壁パネル上に屋根パネルを設置し、この屋根パネルに現場で屋根金物を取り付けるとともに、この屋根金物を前記受金物に連結することによって、予め外装材が取り付けられた壁パネルに、現場で屋根パネルを連結できる。
【発明を実施するための最良の形態】
【００１６】
以下、図面を参照して本発明の実施の形態について説明する。
（第１の実施の形態）
図１〜図５は本発明の第１の実施の形態を示すものである。
図１は本発明に係る屋根パネル連結金物を示す斜視図であり、図中符号１は、屋根パネル連結金物、符号２は受金物、符号３は屋根金物を示す。屋根パネル連結金物１は受金物２と屋根金物３とで構成されている。
【００１７】
受金物２は、図２に示すように、外装材４の内側に位置する壁パネル５の表面上端部に固定されるものであり、壁パネル５の表面に固定される壁固定部２ａと、この壁固定部２ａに設けられたフック部２ｂとを備えている。
壁固定部２ａは、図１に示すように、長方形板状の鉄板で形成されており、該壁固定部２ａには、４個の釘穴２ｃが所定間隔で形成されている。
フック部２ｂは、壁固定部２ａと一体的に形成されたものであり、その先端部には下方に突出する突出片２ｄがフック部２ｂと一体的に形成されている。また、フック部２ｂは壁固定部２ａに対して所定の角度（屋根パネルの勾配角度）で鋭角に形成されている。
【００１８】
上記構成の受金物２は、工場等によって予め壁パネル５に取り付けられている。図２に示すように、壁パネル５は、枠材５ａを矩形状に組み立ててなる枠体の両面に、合板等からなる面材５ｂ，５ｂを貼着したものである。この壁パネル５の表面側を構成する面材５ｂの表面上端部に受金物２の壁固定部２ａが固定されている。壁固定部２ａを固定する場合、壁固定部２ａの上端を壁パネル５の上端に合わせたうえで、壁固定部２ａの釘穴２ｃ・・・（図１参照）からスクリュー釘７を壁パネル５の面材５ｂを通して枠材５ａに打ち込むことによって固定されている。なお、壁パネル５には、その幅方向に所定間隔で複数の受金物２を取り付ける。
このようにして壁パネル５に受金物２を取り付けた後、壁パネル５の表面側に外装材４が取り付けられる。外装材４はその上端を壁パネル５の上端より若干下げて配置することによって、受金物２の壁固定部２ａの殆どを覆うとともに、フック部２ｂと外装材４の上端との間に所定の隙間を設ける。なお、外装材４は、図示しない胴縁を壁パネル５に固定し、この胴縁に固定されることで、壁パネル５との間に通気用の空間を形成する。
【００１９】
前記屋根金物３は、図３に示すように、屋根パネル６に現場で取り付けられるものであり、屋根パネル６の枠材６ａに固定される屋根固定部３ａと、この屋根固定部３ａに形成されて前記フック部２ｂが引掛けられる引掛け部３ｂとを備えている。
屋根固定部３ａは、図１に示すように、略三角形板状の鉄板で形成されたものであり、２枚平行離間して配置されている。これら２枚の屋根固定部３ａ，３ａ間の距離は、屋根パネル６の枠材６ａの太さとほぼ等しくなっている。また、屋根固定部３ａには、５個の釘穴３ｃが所定間隔で形成されている。
引掛け部３ｂは、屋根固定部３ａ，３ａと一体的に形成されたものであり、屋根固定部３ａ，３ａの下端部を結合している。
なお、前記屋根パネル６は、枠材６ａを矩形状に組み立ててなる枠体の表面に、合板等からなる面材６ｂを貼着したものである。また、枠体内には、補強用の枠材６ａが縦横に設けられている。
【００２０】
次に、前記屋根パネル連結金物１を使用して、予め外装材４が取り付けられた壁パネル５に、屋根パネル６を連結する方法について説明する。
まず、図２に示すように、予め受金物２が固定された壁パネル５を基礎等に設置する。この場合、壁パネル５を複数連結してなる大型の壁パネル５を形成し、この大型の壁パネル５に予め受金物２と外装材４が取り付けられたものを基礎等に設置するのが望ましい。
壁パネル５を所定の数だけ設置した後、これら壁パネル５の上端面に結合桁８を固定する。なお、結合桁８の上面は屋根パネル６の勾配に沿って傾斜している。
【００２１】
次に、図３に示すように、壁パネル５上の結合桁８に屋根パネル６の軒先側を設置固定するとともに、屋根パネル６の棟側を図示しない棟梁に設置固定する。
次に、屋根パネル６に現場で屋根金物３を取り付けるとともに、この屋根金物３を前記受金物２に連結する。
すなわち、屋根金物３の引掛け部３ｂに、受金物２のフック部２ｂを引掛けたうえで、受金物２の屋根固定部３ａ，３ａによって、屋根パネル６の枠材６ａを挟み込んで、該屋根固定部３ａ，３ａを枠材６ａの両側面に当接し、さらに、屋根固定部３ａ，３ａの釘穴３ｃ・・・からスクリュー釘を枠材６ａに打ち込む。
なお、屋根金物３の引掛け部３ｂに、受金物２のフック部２ｂを引掛ける場合、フック部２ｂの先端の突出片２ｄを引掛け部３ｂの端部に係止する。また、屋根金物３の屋根固定部３ａは、その上辺を屋根パネル６の傾斜方向に沿わせて固定する。
【００２２】
上記のようにして、屋根パネル６に現場で屋根金物３を取り付けるとともに、この屋根金物３を前記受金物２に連結した後、図４に示すように、屋根パネル６の軒先部下面に、軒天材１０を貼り付ける。
【００２３】
本実施の形態によれば、予め取り付けられた外装材４の内側に位置する壁パネル５の表面上端部に受金物２が固定されているので、この受金物２が固定された壁パネル５上に設置された屋根パネル６に現場で屋根金物３を取り付けるとともに、この屋根金物３を受金物２に連結することによって、予め外装材４が取り付けられた壁パネル５に、現場で屋根パネル６を連結できる。
また、屋根金物３の屋根固定部３ａ，３ａを屋根パネル６の枠材６ａに固定することによって、屋根金物３を屋根パネル６に強固に固定でき、さらに、屋根金物３の引掛け部３ｂに受金物２のフック部２ｂを引掛けることによって、屋根金物３を受金物２に容易かつ確実に連結できる。したがって、予め外装材４が取り付けられた壁パネル５に、現場で屋根パネル６を容易かつ確実に連結できる。
【００２４】
なお、本実施の形態では、受金物２の壁固定部２ａを縦長の鉄板によって形成したが、これに替えて、図５に示すように、受金物２の壁固定部２ａを横長の鉄板によって形成してもよい。このような受金物２では、これを壁パネル５に固定する際に、壁パネル５に外装材４を取り付けた後、壁パネル５の上端部表面に横長の壁固定部２ａを固定できる。
また、図５では、壁固定部２ａに一つのフック部２ｂが形成されているが、壁固定部２ａをさらに長くしてフック部２ｂを複数形成してもよい。
【００２５】
（第２の実施の形態）
図６〜図９は本発明の第２の実施の形態を示すものである。
図５は本発明に係る屋根パネル連結金物を示す斜視図であり、図中符号１１は、屋根パネル連結金物、符号１２は受金物、符号１３は屋根金物を示す。屋根パネル連結金物１１は受金物１２と屋根金物１３とで構成されている。
【００２６】
受金物１２は、図７に示すように、外装材４の内側に位置する壁パネル５の表面上端部に固定されるものであり、壁パネル５の表面に固定される壁固定部１２ａと、この壁固定部１２ａに設けられた筒部１２ｂとを備えている。
壁固定部１２ａは、図６に示すように、長方形板状の鉄板で形成されており、該壁固定部１２ａには、４個の釘穴１２ｃが所定間隔で形成されている。
筒部１２ｂは、軸方向を壁パネル５の幅方向（図６では壁固定部１２ａの幅方向）に向けた状態で、壁固定部１２ａに溶接等によって固定されたものであり、筒部１２ｂの長さは壁固定部１２ａの幅と等しくなっている。また、筒部１２ｂの長さは、屋根パネル６の枠材６ａの太さと等しくなっている。
【００２７】
上記構成の受金物１２は、工場等によって予め壁パネル５に取り付けられている。すなわち、壁パネル５の表面側を構成する面材５ｂの表面上端部に受金物１２の壁固定部１２ａが固定されている。壁固定部１２ａを固定する場合、壁固定部１２ａの上端を壁パネル５の上端に合わせたうえで、壁固定部１２ａの釘穴１２ｃ・・・（図１参照）からスクリュー釘７を壁パネル５の面材５ｂを通して枠材５ａに打ち込むことによって固定されている。なお、壁パネル５には、その幅方向に所定間隔で複数の受金物１２を取り付ける。
このようにして壁パネル５に受金物１２を取り付けた後、壁パネル５の表面側に外装材４が取り付けられる。外装材４はその上端を壁パネル５の上端より若干下げて配置することによって、受金物１２の壁固定部１２ａの殆どを覆うとともに、筒部１２ｂと外装材４の上端との間に所定の隙間を設ける。
【００２８】
前記屋根金物１３は、図７に示すように、屋根パネル６に現場で取り付けられるものであり、図６に示すように、略Ｕ字状の屋根金物本体１３ａと、この屋根金物本体１３ａの２つの脚部の下端部にそれぞれ形成された孔１３ｂ，１３ｂとを備えている。
屋根金物本体１３ａは、屋根パネル６の枠材６ａに、この枠材６ａを上方から跨ぐにようにして取り付けられるもので、平行離間して配置された一対の脚部１３ｃ，１３ｃと、該脚部１３ｃ，１３ｃの上端部を結合する結合部１３ｄとによって構成されており、これら脚部１３ｃ，１３ｃと結合部１３ｄとは、帯状の鉄板を折曲することによって形成されている。また、脚部１３ｃ，１３ｃ間の距離は、屋根パネル６の枠材６ａの太さとほぼ等しくなっている。
前記脚部１３ｃ，１３ｃの下端部に形成された孔１３ｂ，１３ｂは、図８に示すように、前記筒部１２ｂに挿通される軸１５の両端部が挿通固定されるものである。軸１５は例えば、ボルト１５であり、このボルト１５が一方の孔１３ｂから筒部１２を通して他方の孔１３ｂ挿通されたうえで、ナット１６が螺合される。そして、このナット１６を締め付けることによって、脚部１３ｃ，１３ｃの先端部（下端部）が筒部１２の端面に圧接されるとともに、ボルト１５の頭部１５ａとナット１６が孔１３ｂ，１３ｂの開口端面に固定されるようになっている。
【００２９】
次に、前記屋根パネル連結金物１１を使用して、予め外装材４が取り付けられた壁パネル５に、屋根パネル６を連結する方法について説明する。
まず、予め受金物２が固定された壁パネル５を基礎等に設置する。壁パネル５を所定の数だけ設置した後、これら壁パネル５の上端面に結合桁８を固定する。
【００３０】
次に、図７に示すように、壁パネル５上の結合桁８に屋根パネル６の軒先側を設置固定するとともに、屋根パネル６の棟側を図示しない棟梁に設置固定する。
次に、屋根パネル６に現場で屋根金物３を取り付けるとともに、この屋根金物３を前記受金物２に連結する。
すなわち、屋根パネル６に形成された一対の孔に、現場で屋根金物１３の脚部１３ｃ，１３ｃを屋根パネル６の上面側から挿入するとともに、該脚部１３ｃ，１３ｃで屋根パネル６の枠材６ａを挟み付ける。つまり、屋根金物本体１３ａを枠材６ａを上方から跨ぐにようにして取り付け、さらに、屋根金物本体１３ａの結合部１３ｄを屋根パネル６の上面に当接させる。
また、図８に示すように、屋根金物本体１３ａの２つの脚部１３ｃ，１３ｃで受金物１２の筒部１２ｂを、脚部１３ｃ，１３ｃの孔１３ｂ，１３ｂと筒部１２ｂとがほぼ一致するようにして挟み込み、ボルト１５を一方の孔１３ｂから筒部１２ｂを通して他方の孔１３ｂに挿通することによって、屋根金物１３を前記受金物１２に連結する。そして、ボルト１５の端部にナット１６を螺合して、締め付けることによって、脚部１３ｃ，１３ｃの先端部（下端部）を筒部１２の端面に圧接するとともに、ボルト１５の頭部１５ａとナット１６を孔１３ｂ，１３ｂの開口端面に固定する。これによって、ボルト１５の抜け出を防止する。
【００３１】
上記のようにして、屋根パネル６に現場で屋根金物１３を取り付けるとともに、この屋根金物１３を前記受金物１２に連結した後、屋根パネル６の軒先部下面に、軒天材１０を貼り付ける。
本実施の形態の形態では、屋根金物本体１３ａを屋根パネル６の枠材６ａを上方から跨ぐにようにして取り付けることによって、屋根金物１３を屋根パネル６に上方から容易に取り付けることができ、さらに、屋根金物本体１３ａの２つの脚部１３ｃ，１３ｃで受金物１２の筒部１２ｂを、脚部１３ｃ，１３ｃの孔１３ｂ，１３ｂと筒部１２ｂとがほぼ一致するようにして挟み込み、ボルト１５を一方の孔１３ｂから筒部１２ｂを通して他方の孔１３ｂに挿通することによって、屋根金物１３を受金物１２に容易かつ確実に連結できる。したがって、予め外装材４が取り付けられた壁パネル５に、現場で屋根パネル６を容易かつ確実に連結できる。
また、ボルト１５の先端部にナット１６を螺合して締め付けることによって、ボルト１５の抜け出を防止できるので、受金物１２と屋根金物１３との分離を防止することができる。
【００３２】
なお、本実施の形態では、受金物１２の壁固定部１２ａを縦長の鉄板によって形成したが、これに替えて、図９に示すように、受金物１２の壁固定部１２ａを横長の鉄板によって形成してもよい。このような受金物１２では、これを壁パネル５に固定する際に、壁パネル５に外装材４を取り付けた後、壁パネル５の上端部表面に横長の壁固定部１２ａを固定できる。
また、図９では、壁固定部１２ａに一つの筒部１２ｂが設けられているが、壁固定部２ａをさらに長くして筒部１２ｂを複数設けてもよい。
【図面の簡単な説明】
【００３３】
【図１】本発明の第１の実施の形態を示すもので、屋根パネル連結金物の斜視図である。
【図２】同、受金物が取り付けられている壁パネルを示す断面図である。
【図３】同、壁パネルに屋根パネルを連結した状態を示す断面図である。
【図４】同、図３において、屋根パネルに軒天材を貼り付けた状態を示す断面図である。
【図５】同、受金物の変形例を示す斜視図である。
【図６】本発明の第２の実施の形態を示すもので、屋根パネル連結金物の斜視図である。
【図７】同、壁パネルに屋根パネルを連結した状態を示す断面図である。
【図８】受金物と屋根金物の連結状態を示す要部の断面図である。
【図９】同、受金物の変形例を示す斜視図である。
【図１０】従来の壁パネルに屋根パネルを連結した状態を示す断面図である。
【図１１】従来の壁パネルに屋根パネルを設置した状態を示す斜視図である。
【符号の説明】
【００３４】
１，１１  屋根連結パネル
２，１２  受金物
２ａ，１２ａ  壁固定部
２ｂ  フック部
１２ｂ  筒部
３，１３  屋根金物
３ａ  屋根固定部
１３ａ  屋根金物本体
３ｂ  引掛け部
１３ｂ  孔
４  外装材
５  壁パネル
６  屋根パネル
６ａ  枠材
【図１】
2006348688.tif 000003
【図２】
2006348688.tif 000004
【図３】
2006348688.tif 000005
【図４】
2006348688.tif 000006
【図５】
2006348688.tif 000007
【図６】
2006348688.tif 000008
【図７】
2006348688.tif 000009
【図８】
2006348688.tif 000010
【図９】
2006348688.tif 000011
【図１０】
2006348688.tif 000012
【図１１】
2006348688.tif 000013